(57)【特許請求の範囲】
【請求項１】
テレビジョン放送受信装置と操作端末からなるテレビジョンシステムであって、
前記テレビジョン放送受信装置は、
テレビジョン放送を受信する放送受信部と、
前記テレビジョン放送からユーザーの嗜好にあった嗜好番組を検出する検出部と、
前記操作端末に前記検出部により検出した前記嗜好番組を識別するための嗜好情報を送信し、前記操作端末から送信される番組選択情報を受信するデータ送受信部と
を備え、
前記操作端末は、
前記データ送受信部から出力された前記嗜好情報を受信する嗜好情報受信部と、
前記嗜好情報受信部により受信した前記嗜好情報に基づいて前記嗜好番組が存在するという情報を出力する出力部と、
前記出力部により出力された前記嗜好番組を選択する選択部と、
前記選択部により選択した前記嗜好番組を識別するための番組選択情報を前記データ送受信部に送信する送信部と
を備え、
前記操作端末は、位置変化検出部を更に備え、
前記操作端末の位置が変化したことが検出された時に、前記テレビジョン放送受信装置に信号を送信し、
前記信号を受信した前記テレビジョン放送受信装置は嗜好番組を検出し、
前記出力部は前記検出された前記嗜好番組が存在するという情報を出力する
テレビジョンシステム。
【請求項２】
テレビジョン放送受信装置と操作端末からなるテレビジョンシステムであって、
前記テレビジョン放送受信装置は、
テレビジョン放送を受信する放送受信部と、
前記テレビジョン放送からユーザーの嗜好にあった嗜好番組を検出する検出部と、
前記操作端末に前記検出部により検出した前記嗜好番組を識別するための嗜好情報を送信し、前記操作端末から送信される番組選択情報を受信するデータ送受信部と
を備え、
前記操作端末は、
前記データ送受信部から出力された前記嗜好情報を受信する嗜好情報受信部と、
前記嗜好情報受信部により受信した前記嗜好情報に基づいて前記嗜好番組が存在するという情報を出力する出力部と、
前記出力部により出力された前記嗜好番組を選択する選択部と、
前記選択部により選択した前記嗜好番組を識別するための番組選択情報を前記データ送受信部に送信する送信部と
を備え、
前記テレビジョン放送受信装置は前記検出部が検出した嗜好番組とユーザーが視聴している番組が一致するか判定し、一致した場合は前記データ送受信部は前記嗜好番組の嗜好情報を前記操作端末に送信しない
テレビジョンシステム。
【請求項３】
前記選択部は前記嗜好番組を選択する為の複数のボタンからなる番組選択ボタンを備え、前記出力部は前記嗜好情報に基づいて前記嗜好番組に対応する番組を視聴させるために前記番組選択ボタンを視覚的に特徴付ける、
請求項１または２記載のテレビジョンシステム。
【請求項４】
前記操作端末は複数の前記ボタンを発光させるための発光制御部を有し、
前記出力部は前記嗜好情報に基づいて前記嗜好番組に対応する番組を視聴させるために、前記嗜好番組を選択させるための順序で前記番組選択ボタンの有する前記ボタンを前記発光制御部によって発光させる、
請求項１または２記載のテレビジョンシステム。
【発明の詳細な説明】
【技術分野】
【０００１】
本発明は、テレビジョン放送受信装置、セットトップボックスなど、特にテレビジョン放送の番組やストリーミングデータなどを受信し、ユーザーの嗜好にあった番組の推薦を行うテレビジョンシステム、放送受信装置および操作端末に関する。
【背景技術】
【０００２】
近年デジタル放送化が進み、各番組に付加情報を持たせることが可能になった。この付加情報や視聴者履歴などからユーザーの嗜好に応じた番組を推薦し、その番組情報を提示する番組推薦機能がある。特開２００２−１１２１８６号公報には、番組推薦度に応じた表示形式で推薦番組に関する情報を提示する技術が開示されている。
【０００３】
図１７は録画番組の推薦リストである従来の録画推薦番組表１０１を表示させたテレビ画面を示す。また、図１８は推薦リストを操作するリモコンを示す。図１７の録画推薦番組表１０１は、各録画番組に対して推薦度が高い順に上方から表示していく推薦度軸１０２と、録画した録画時刻を時間軸で表した録画時間軸１０３から構成される表である。また、図１８のリモコンは録画推薦番組表１０１を表示するための録画推薦番組表ボタン１０５と、番組表で強調表示されている番組選択カーソル１０４を移動させるための選択ボタン１０６と、視聴番組を決定するための決定ボタン１０７を備える操作端末である。
【０００４】
ユーザーは、リモコンの録画番組表ボタン１０５を押下することにより、録画推薦番組表１０１を表示させる。そして、ユーザーは録画番組の中で視聴したい番組があれば、選択ボタン１０６を押して番組選択カーソル１０４を視聴したい番組の場所に合わせる。番組選択カーソル１０４を合わせた番組を視聴するのであれば、ユーザーは決定ボタン１０７を押し、推薦された番組を視聴する。この構成により、推薦リスト内から推薦番組を選択し、視聴することができるが、画面に表示された選択リスト内から選択カーソルを移動させて推薦番組を選択するという操作は煩雑なものとなっている。
【０００５】
特開２００２−１１２１８６号公報のような従来例では、以下の点について課題がある。
【０００６】
従来の番組推薦機能によりユーザーに推薦番組を知らせる方法は、画面上に推薦リストを表示し、表示した推薦リスト内から選択カーソルを移動させて推薦番組を選択するといったものである。即ち、推薦番組視聴するためには操作端末上で複数の操作が必要となる。さらに、テレビジョン放送受信装置などの多機能化が進み、操作端末を使用した操作が複雑になってきており、ユーザーが操作しきれないという課題がある。また、推薦リストを画面上に表示しているため、テレビ映像を視聴しながら推薦されている番組を知ることができない。
【発明の開示】
【０００７】
本発明は上記従来の課題を解決するもので、容易にユーザーの嗜好に合った番組を視聴することができるテレビジョン放送受信装置及び操作端末からなるテレビジョンシステムを提供するものである。
【０００８】
本発明にかかるテレビジョンシステムは、テレビジョン放送受信装置から操作端末にユーザーの嗜好に合った嗜好番組の嗜好情報を送信し、操作端末上で嗜好番組が存在するという情報を出力し、ユーザーが嗜好番組を選択して、番組選択情報をテレビジョン放送受信装置に送信する。さらに操作端末の位置が変化したことを検出する位置変化検出部を備え、操作端末の位置が変化したことを検出した時に、嗜好番組を検出し、嗜好番組が存在するという情報を出力する。これにより、操作端末上で、嗜好番組が存在するということを認識することができ、嗜好番組を簡単な操作で視聴することが可能になるとともにユーザーに適切なタイミングで嗜好番組を推薦することができる。
【０００９】
また、本発明のテレビジョンシステムは、テレビジョン放送受信装置から操作端末にユーザーの嗜好に合った嗜好番組の嗜好情報を送信し、操作端末上で嗜好番組が存在するという情報を出力し、ユーザーが嗜好番組を選択して、番組選択情報をテレビジョン放送受信装置に送信する。さらに検出した嗜好番組とユーザーが視聴している番組が一致するかを判定し、嗜好番組とユーザーが視聴している番組が一致した場合は、検出された嗜好番組の嗜好情報を操作端末に送信しない。これにより、これにより、操作端末上で、嗜好番組が存在するということを認識することができ、嗜好番組を簡単な操作で視聴することが可能になるとともにテレビジョン放送受信装置は嗜好情報を操作端末に送信しないので、テレビジョン放送受信装置の消費電力を抑えることができる。さらに、操作端末は嗜好情報を受信しないため、嗜好番組が存在するという情報を出力しないので、操作端末の消費電力も抑えることができる。
【発明を実施するための最良の形態】
【００２２】
以下、本発明を実施するための最良の形態について、図面を参照しながら説明する。
【００２３】
（実施の形態１）
以下、本発明の実施１の形態を、図面を参照しながら説明する。
【００２４】
図1は、本発明の実施の形態１であるテレビジョンシステム１の構成を示したブロック図である。図1に示すテレビジョンシステム１では、テレビジョン放送受信装置２、操作端末３から構成される。またテレビジョン放送受信装置２は、アンテナ部４、放送受信部５、分離部６、デコード部７、番組出力部８、番組推薦制御部９、検出部１０、データ送受信部１１、番組情報記憶部１２、入力部１３、チャンネル対応表１４、ユーザー嗜好情報記憶部１５、計時部１６から構成される。操作端末３は、操作端末制御部１７、嗜好情報受信部１８、送信部１９、出力部２０、選択部２１から構成される。
【００２５】
まずテレビジョン放送受信装置２から説明する。放送受信部５は、アンテナ部４から受信したデジタルテレビジョン放送を入力する。そして、ユーザーが所望するチャンネルの変調されている放送信号が、後述する番組推薦制御部９の制御により選択される。
【００２６】
分離部６は放送受信部５が出力する変調されている信号を入力し、復調したＭＰＥＧ−２トランスポートストリームから、番組情報（ＥＰＧ情報などの番組に関連する情報）を抜き出す。この番組情報は後述する番組情報記憶部１２に蓄えられる。また、デジタルテレビジョン放送においては、ＭＰＥＧ−２トランスポートストリームを変調して放送することは周知である。
【００２７】
デコード部７は分離部６が出力するＭＰＥＧ−２トランスポートストリームを入力し、番組推薦制御部９の制御によりユーザーが所望する番組の映像・音声のストリームを抽出し、復号を行った後、アナログＹ／Ｐｂ／Ｐｒの映像信号とアナログＬ／Ｒの音声信号を出力する。
【００２８】
番組出力部８はデコード部７からのアナログＹ／Ｐｂ／Ｐｒの映像信号を入力し、それらの映像信号を増幅する。また、番組出力部８はアナログＹ信号に多重化されている同期信号を抜き出した後、その同期信号に同期させて増幅された映像信号を図示しないモニターに出力する。さらに番組出力部８はアナログＬ／Ｒの音声信号を入力し、それらの音声信号を増幅して図示しないスピーカーに出力する。
【００２９】
番組推薦制御部９は検出部１０とデータ送受信部１１を有し、且つテレビジョン放送受信装置２の各構成要素を制御するマイクロコンピューターである。また、番組推薦制御部９は後述する番組情報記憶部１２と、ユーザー嗜好情報記憶部１５への書き込みが可能なように接続されている。そして番組推薦制御部９は、分離部６が出力する番組情報を番組情報記憶部１２に蓄積する。入力部１３はユーザー嗜好情報などを入力する操作を受け付けるためのインターフェースである。なお、ユーザー嗜好情報とは、番組名、ジャンル、開始時刻、終了時刻、番組に対するキーワードなどをいい、緊急情報としての設定項目も含む。ここでいう、緊急情報とは災害などの緊急を要する臨時の放送があった場合に、放送を表す番組情報である。また、緊急情報はユーザーによって入力部１３から設定してもよいが、あらかじめテレビを製造する段階で製造者が設定しておいてもよい。例えば、リモコンやキーボードなどが入力部１３として考えられる。なお後述する操作端末３が入力部１３としての機能を持っていてもよいし、後述する操作端末３とは違う端末を用いて実現してもよい。ユーザー嗜好情報の入力やチャンネル変更などのユーザーの操作は入力部１３により電気信号化され番組推薦制御部９に入力され、ユーザー嗜好情報記憶部１５に蓄積される。
【００３０】
チャンネル対応表１４は、テレビジョン放送受信装置２が受信する放送の各チャンネルと、テレビジョン放送受信装置２・操作端末３で使われる番組選択のための値（プリセット番号）との対応をメモリ上に記憶したもので、各チャンネルとプリセット番号を対応付けるチャンネルプリセットに用いられる。また、この対応はユーザーによって変更可能である。ここでチャンネル対応表１４の例を、図７を用いて説明する。図７はテレビジョン放送受信装置２が受信する放送のチャンネル１４ａとテレビジョン放送受信装置２・操作端末３で使われる番組選択のためのプリセット番号１４ｂとの対応を示している表である。テレビジョン放送受信装置２が受信しているチャンネル２ｃｈに対応するプリセット番号は２、チャンネル４ｃｈに対応するプリセット番号は４、チャンネル６ｃｈに対応するプリセット番号は６、チャンネル８ｃｈに対応するプリセット番号は８、チャンネル１０ｃｈに対応するプリセット番号は１０、１９ｃｈに対応するプリセット番号は５となっている。
【００３１】
検出部１０は、計時部１６より時刻情報を入力する。そうして、検出部１０はユーザー嗜好情報記憶部１５に入力されていたユーザー嗜好情報を用いて、番組情報記憶部１２に入力されている番組情報中のユーザーが視聴している時刻の番組群の中からユーザーの所望する嗜好番組を検出する。番組推薦制御部９は、検出した嗜好番組の嗜好情報をデータ送受信部１１へ送信する。嗜好情報とは、ユーザーが嗜好する番組や緊急番組のチャンネルや、操作端末３で番組を選択するときの番組を識別するためのチャンネルに対応した値などである。
【００３２】
データ送受信部１１は、検出部１０から嗜好情報を受信し、操作端末３とのデータの送受信が可能であり、検出部１０からデータ送受信部１１へ送信された嗜好情報を操作端末３の嗜好情報受信部１８に送信する。また、データ送受信部１１は後述する操作端末３の操作端末制御部１７からのユーザーの番組選択操作による後述する番組選択情報を受信する。受信した番組選択情報は番組推薦制御部９によって制御される。番組推薦制御部９は操作端末３から受信した番組選択情報に対応するチャンネルをチャンネル対応表１４から検出し、デコード部７に検出したチャンネルの番組をユーザーが所望する番組としてデコードさせる。また、選択された番組はユーザーの所望する番組であるので、選択された番組の番組情報をユーザー嗜好情報として記憶される。そうして、番組推薦制御部９は番組情報記憶部１２から選択された番組に対応する番組情報を読み込み、ユーザー嗜好情報記憶部１５へ蓄積する。
【００３３】
次に操作端末３の構成を説明する。操作端末制御部１７は嗜好情報受信部１８を有する、操作端末３の各構成要素を制御するマイクロコンピューターである。嗜好情報受信部１８はデータ送受信部１１からの嗜好情報を受信する。また、操作端末制御部１７は、嗜好情報を出力部２０に出力し、後述する番組選択情報を選択部２１から受信し、送信部１９が番組選択情報をデータ送受信部１１へ送信する。選択部２１は、嗜好番組が存在するという情報を出力する出力部２０を有し、ボタンを押下することにより番組を選択するための図示していない番組選択ボタンを有する。選択部２１はユーザーからの番組選択操作を受け入れるためのインターフェースであり、操作端末制御部１７によって制御される。
【００３４】
この嗜好番組が存在するという情報とは、嗜好番組が存在しているということをユーザーに認識させるための情報であり、操作端末制御部１７が受信する嗜好情報に基づいて生成される情報、または嗜好情報のことを指す。ユーザーの番組選択操作が選択部２１により電気信号化され、送信部１９から番組選択情報としてデータ送受信部１１へ送信される。本実施の形態において、出力部２０は、操作端末制御部１７から受信する嗜好情報を基に、嗜好番組に対応する番組を視聴するための番組選択ボタンを光らせる。つまり、出力部２０は、嗜好情報に基づいて、嗜好番組が存在するという情報を生成し、出力する。ここで、嗜好番組が存在するという情報とは、番組選択ボタンを発光させるか、発光させないかを示す電気信号のことをいい、番組選択ボタンが複数ある場合は、どの番組選択ボタンを光らせるのかという情報も含む電気信号のことをいう。
【００３５】
ここで、操作端末３が放送受信部５により受信したテレビジョン放送の各チャンネルに対応する番号を持ち、検出部１０により検出された嗜好番組の嗜好情報を各チャンネルに対応する番号に割り当てるように構成される。図４は、より具体的な操作端末３の構成としての操作端末２４を示す。また、図５は図４に示した操作端末２４の後述する数字ボタンの発光動作に係わる構成を示した図である。
【００３６】
図４は操作端末２４を示す。操作端末２４は、電源のＯＮ・ＯＦＦを行うＰＯＷＥＲボタン２４ｃ、チャンネルを順に選択するＣＨボタン２４ａ、音量を変えるＶＯＬボタン２４ｂ、チャンネルをダイレクトに選択できる「１」から「１２」数字ボタン２２を備えている。また、図５は数字ボタン２２を示す。数字ボタン２２は内部に光源２３を備えており、光源２３は図１で示した操作端末制御部１７によって制御されている。そして、数字ボタン２２に対応する番組が推薦された時に、発光するようになっている。図４と図５では、数字ボタン２２が図１での選択部２１のことであり、光源２３が図１での出力部２０である。また、数字ボタン２２は、図１で図示していない番組選択ボタンのことでもある。
【００３７】
操作端末２４が嗜好情報を受信した時、操作端末制御部１７が嗜好情報を推薦されている番組に対応する数字ボタン２２に割り当て、数字ボタン２２内部の光源に対し発光するように命令する。例えば、３ｃｈが「３」の数字ボタン２２にチャンネルプリセットされていた時に、図４に示しているように、嗜好情報が３ｃｈの番組に関するものだったとすると、操作端末制御部１７が「３」の数字ボタン２２内部の光源２３を発光させる。
【００３８】
尚、図５では数字ボタン２２を光源２３で光を照射する方式を記載しているが、本発明はこの方式に限定されるものではない。本発明での他の方法を図１５および図１６と共に説明する。
【００３９】
図１５と図１６において、数字ボタン２２には表示部２２９が装備されている。表示制御部２３１は操作端末制御部１７に制御されている。表示制御部２３１は操作端末制御部１７からの指示に従って、表示部２２９での表示内容を制御する。表示部２２９は表示制御部２３１からの制御によって、例えば、放送局名・放送番組名・放送局ロゴマーク・番組ロゴマーク等の表示２２ＤＰを映し出す。
【００４０】
尚、この表示方式は実施の形態１に限るものではなく、本発明の全ての実施の形態で適応できる。
【００４１】
次に本テレビジョンシステム１の動作について説明する。図２は本発明のテレビジョンシステム１の番組推薦動作を示すフローチャートである。この図２を用いて番組推薦動作の説明を行う。
【００４２】
チャンネル対応表１４を利用し、番組推薦制御部９は、テレビジョン放送受信装置２が受信する放送のチャンネルと、テレビジョン放送受信装置２・操作端末３で使われる番組選択のためのプリセット番号とを対応付けるチャンネルプリセットを行う（ステップＳ０）。ユーザーが入力部１３からユーザー嗜好情報を入力し、番組推薦制御部９によって、入力されたユーザー嗜好情報がユーザー嗜好情報蓄積部１５に蓄積される（ステップＳ１）。
【００４３】
テレビジョン放送受信装置２は、アンテナ部４からデジタルテレビジョン放送を受信する（ステップＳ２）。計時部１６により、ユーザーが視聴している現在時刻が計算される。検出部１０は、ステップＳ２で受信した放送から取得された番組情報と、ユーザー嗜好情報記憶部１５からの入力されたユーザー嗜好情報を用い、現在放送されている番組の中からユーザーの嗜好に合った嗜好番組を検出し、嗜好番組を選択するのに必要な前記嗜好番組の嗜好情報をデータ送受信部１１に送信する。また、番組情報は、番組推薦制御部９によって番組情報記憶部１２に蓄積される（ステップＳ３）。
【００４４】
番組推薦制御部９によって、嗜好情報が、データ送受信部１１から操作端末３へ送信される（ステップＳ４）。ステップＳ４でテレビジョン放送受信装置２のデータ送受信部１１から送信された嗜好情報を操作端末制御部１７の嗜好情報受信部１８が受信する（ステップＳ５）。操作端末制御部１７によって、ステップＳ５で受信した嗜好情報に対応する番組のチャンネルに対応した数字ボタン２２に嗜好情報を割り当てられる（ステップＳ６）。操作端末制御部１７は、嗜好情報を割り当てられた数字ボタン２２内の光源２３を発光させる。なお、光源２３を発光させるという方法は、操作端末３上での一表現方法に過ぎず、出力部２０がユーザーに対して認識可能に嗜好番組が存在するということを表現できるのであれば、他の方法でもよい。（ステップＳ７）。
【００４５】
テレビジョン放送受信装置２と操作端末３の番組推薦動作は以上であり、ユーザーは推薦された番組を視聴するならば、テレビジョンシステム１は後述の番組選択動作を行う（Ｃ１、Ｃ２）。この時、図２のＣ１、Ｃ２はそれぞれ図３のＣ１、Ｃ２に対応する。また、ステップＳ０のチャンネルプリセットと、ステップＳ１のユーザー嗜好情報の入力は前記番組推薦動作をする度に行う必要はなく、任意に変更することが可能である。
【００４６】
図３は、本発明のテレビジョンシステム１の番組選択動作を示すフローチャートである。この図３を用いて番組選択動作の説明を行う。
【００４７】
テレビジョン放送受信装置２は放送受信部５によって、アンテナ部４からデジタルテレビジョン放送を受信する（ステップＳ１０）。一方、操作端末３は、選択部２１でユーザーが所望する番組を選択し、電気信号化された番組選択情報が入力される。これは、推薦された嗜好番組が存在するという情報を出力している発光した光源２３を内部に持つ数字ボタン２２を押下し、数字ボタン２２を押下するという動作が、番組選択情報として電気信号化され入力されるということである（ステップＳ８）。ステップＳ８で入力された電気信号化されている番組選択情報は、操作端末制御部１７で制御され、テレビジョン放送受信装置２のテータ送受信部１１に送信される（ステップＳ９）。
【００４８】
ステップＳ９で送信された番組選択情報をデータ送受信部１１が受信する（ステップＳ１１）。番組推薦制御部９は、ステップＳ１１で受信した番組選択情報に対応したチャンネルをチャンネル対応表１４から得る。ここから、選択した番組の番組情報をユーザー嗜好情報として蓄積するステップ１３と選択された番組をデコードするステップ１５に分かれる（ステップＳ１２）。番組推薦制御部９は、ステップＳ１２で得たチャンネルで現在放送されている番組の番組情報を番組情報記憶部１３から読み出す（ステップＳ１３）。番組推薦制御部は、ステップ１３で読み出された番組情報をユーザー嗜好情報として、ユーザー嗜好情報記憶部１５に蓄積する（ステップＳ１４）。一方、ステップＳ１２で得た番組のデコードがデコード部７で行われ、番組出力部８によって出力される（ステップＳ１５）。
【００４９】
以上のように、本実施の形態１のテレビジョンシステム１では、テレビジョン放送受信装置２から操作端末３にユーザーの嗜好に合った嗜好番組の嗜好情報を送信し、操作端末３上で嗜好番組が存在するという情報を出力し、ユーザーが嗜好番組を選択して、番組選択情報をテレビジョン放送受信装置２に送信することでユーザーが所望の番組を視聴できる。このようにテレビジョン放送受信装置２が操作端末３に嗜好情報を送信し、操作端末３がテレビジョン放送受信装置２に番組選択情報を送信するという、テレビジョン放送受信装置２と操作端末３との双方向通信を行うことにより、操作端末３上での、嗜好番組の認識が可能になり、嗜好番組を簡単な操作で視聴することが可能になる。
【００５０】
そして、実施の形態１のテレビジョンシステムでは、従来とは違い、画面上に推薦リストを表示させて、番組を選択するような煩雑なものではなく、操作端末の複雑な操作があるということもない。そのため、ユーザーが操作端末を操作しきれないということはなく、画面上で嗜好番組を選択する必要がないため、ユーザーの嗜好に合った番組が放送されていることを操作端末上で容易に知ることができ、番組を選択することができる。また、従来であれば、画面上に推薦リストを表示させて、推薦番組を選択していたために、推薦リストを表示させている間は、テレビジョン放送の映像を視聴しづらい。しかし、本願発明では、操作端末上で嗜好番組が存在するという情報を出力することで、テレビ画面に推薦リストなどを表示することが無いので、テレビジョン放送の映像を視聴しながら、推薦されている嗜好番組が存在するということを知ることができる。さらに、本願発明ではテレビジョンシステムが自動的にユーザーに嗜好番組が存在するという情報を出力して提示しているが、操作端末上で嗜好番組が存在するという情報を出力しているので、ユーザーのテレビ視聴の妨げになることは無い。
【００５１】
また、嗜好番組の嗜好情報を操作端末２４上の各チャンネルに対応する番号（数字ボタン）に割り当てることで、操作端末２４上で嗜好情報と選択部２１とが一対一に対応し、通常、推薦番組でない番組を選択する時に使用するボタンを推薦番組の選択部２１として利用できる。そのため、推薦された嗜好番組を視聴するのに、通常の数字ボタンを一回押下して番組を選択する場合と同じように、数字ボタンを押下するという一回の番組選択動作で嗜好番組を選択することができる。
【００５２】
これは、従来の番組推薦方法であれば、推薦番組がある場合、ユーザーが画面上に推薦リストを表示させ、ユーザーは画面上で、どの番組が推薦されている番組なのかを認識し、その後、視聴番組を選択するために推薦リスト内の選択カーソルを動かして選択し、推薦番組を視聴するというものである。そのため、複数の操作が必要となり、操作が煩雑なものである。これに対して、本実施の形態では、推薦番組がある場合、出力部である数字ボタン２２内の光源２３が発光することによって、嗜好番組が存在するという情報を操作端末３上に自動的に出力し、ユーザーは操作端末３上でどのチャンネルの番組が推薦されている番組かを認識し発光している数字ボタンを押下することで、推薦番組を視聴できる。つまり、発光している数字ボタンを押下する操作をするだけなので、画面上に推薦リストを表示させ、推薦リスト内から番組を選択するという操作は無くなる。さらに数字ボタン２２を発光させる構成にすることで、出力部２０と選択部２１と通常番組を選択するためのボタンが一体となるので、発光している数字ボタンを押下するという通常の番組選択動作と同じように、一回の番組選択動作で嗜好番組を選択することができる。
【００５３】
（実施の形態２）
次に、本発明の実施の形態２について、図１０と図１１と供に説明する。この実施の形態２では、図１０に示す通り、複数の嗜好番組を推薦する場合に、実施の形態１で示したテレビジョンシステム１の構成において、テレビジョンシステム１が各番組のユーザーの嗜好の度合いである番組嗜好度を判定する判定部１０１を更に備える。検出部１０は複数の嗜好番組を検出し、データ送受信部１１が受信する嗜好情報は複数の嗜好番組の嗜好情報であり、操作端末３は複数の嗜好番組の嗜好情報を受信し、出力部２０は受信した嗜好情報に基づいて複数の嗜好番組が存在するという情報を出力する時、それぞれの嗜好番組の存在を異なる形式で出力する。
【００５４】
図１１に示す通り、実施の形態２では、図１のテレビジョン放送受信装置２の検出部１０内に判定部１０１を備えている。また、判定部１０１は番組推薦制御部９によって制御される。なお、実施の形態１と同じ構成についてはその説明を省略する。ここでいう、それぞれの番組が存在するという情報を異なる形式で出力するということは、実施の形態１で述べた番組選択ボタンは複数あり、視覚的に番組選択ボタンを光らせて出力する場合は、番組選択ボタンの発光に違いを設けるために、番組選択ボタンの発色光を変化させることである。実施の形態２において、嗜好番組が存在するという情報とは、どの番組選択ボタンをどのように発光させるかを示す電気信号のことをいう。
【００５５】
なお、発光色の変化とは、番組嗜好度に応じて発色光の色を変えることや、発色光を強弱させてグラデーションを用いることなどであり、推薦された番組の嗜好情報が緊急情報である場合は特別な色で光らせることなどである。そして、操作端末２４において複数の嗜好番組が推薦された場合は、複数のチャンネルが推薦されているので、操作端末制御部１７は、推薦されたそれぞれの番組のチャンネルと対応した数字ボタンに嗜好情報をそれぞれ割り当てる。そうして、操作端末制御部１７は、番組嗜好度に応じて、それぞれの数字ボタンの発光する内部の光源に違いをつけて発光させる。
【００５６】
次に、番組嗜好度を判定する判定部１０１の動作について説明する。検出部１０は、現在時刻の番組情報とユーザー嗜好情報を基に嗜好番組を検出している。ここで、判定部１０１の動作例として、判定部の番組嗜好度判定方法がユーザー嗜好情報と番組情報の各要素のマッチングを用いた判定方法を考える。この時、ユーザー嗜好情報は番組名、ジャンル、開始時刻、終了時刻、番組に対するキーワードの５要素から成っている。また、各番組の番組情報も番組名、ジャンル、開始時刻、終了時刻、番組に対するキーワードの５要素から成っているとする。そして嗜好判定として、ユーザー嗜好情報と各番組の番組嗜好情報の要素間マッチングが行われる。そして、実施の形態２では、各番組の番組情報とユーザー嗜好情報のマッチングで値が合致した要素の個数を番組嗜好度としている。
【００５７】
図９は各番組のマッチング結果を示す。図９は、横方向を番組にし、縦方向をユーザー嗜好情報にしたマトリックス図である。図９の「Ｙ」はユーザー嗜好情報の要素の値と番組情報の要素の値が合致したことを示しており、「Ｎ」は合致しなかったことを示している。図９より、番組Ａの番組嗜好度は４、番組Ｂの番組嗜好度は２、番組Ｃの番組嗜好度は１、番組Ｄの番組嗜好度は５、番組Ｅの番組嗜好度は０となった。
【００５８】
また、ここで検出部１０の嗜好番組の検出は、番組嗜好度を用いて行われると仮定する。その方法として、検出部１０は、所定の閾値を用いて、閾値以上のものを嗜好番組として検出する。ここで、閾値を３とすると、図９の番組Ａから番組Ｅの中で嗜好番組として番組嗜好度が「４」の番組Ａと、番組嗜好度が「５」の番組Ｄが検出される。そして、検出した嗜好番組の番組嗜好度も嗜好情報の一つとして、出力部２０で嗜好番組が存在するということを示す際に用いられてもよい。この例では、複数の嗜好番組が検出されているので、出力部２０は、複数の嗜好番組が存在するということを示す時に、嗜好番組が存在するということを示す表現に違いを設けなければならない。この時、番組嗜好度の大小を利用して、嗜好番組が存在するということが示される。嗜好番組が存在するということを示す方法が出力部２０を発光させる場合であれば、操作端末制御部１７が、番組嗜好度の大小に合わせて、グラデーションを用いて発光色を強弱させたり、嗜好度の高いものから順に赤、黄、青と発色させること等が考えられる。
【００５９】
以上のように、実施の形態２のテレビジョンシステムでは、ユーザーの嗜好の度合いである番組嗜好度を判定する判定部１０１を備え、複数の嗜好番組が検出された場合に、出力部２０はそれぞれの嗜好番組に違いを設けて出力する。このように、各番組の番組嗜好度を判定することで、嗜好番組の検出に利用できる。また、番組嗜好度を利用することによってユーザーに推薦する順序をつけることができるので、操作端末３は複数の嗜好番組が存在するという情報を出力する。そうして、それぞれの嗜好番組が存在するということを示すのに、前述の推薦する順序を利用して異なる形式で出力されており、ユーザーは出力された複数の嗜好番組の違いを容易に認識することができる。なお、番組嗜好度を判定する判定部１０１は、複数の嗜好番組が推薦される時だけに限らず、一つの嗜好番組が推薦される時にも利用することが可能である。
【００６０】
（実施の形態３）
実施の形態1及び実施の形態２で示したテレビジョンシステム１での図４、図５のような操作端末２４の構成では、番組の選択が困難な場合がある。例えば、ケーブルテレビのようにチャンネル数が多い場合、番組選択をするための操作端末３上の数字ボタンの個数というのは有限である。従って、ボタンの数が足らず、１つのボタンに対し1つのチャンネルを対応させることができないということがある。そこで本発明の実施の形態３では、このような放送されているチャンネル数が番組選択操作のための数字ボタンより多い場合の操作端末での数字ボタンとチャンネルの対応のさせ方を示す。
【００６１】
実施の形態３を図６と図８と供に説明する。なお、実施の形態1及び実施の形態２と同じ構成については省略する。
【００６２】
ケーブルテレビのリモコン（操作端末）は番組を選択するための数字ボタンがテンキーになっており、チャンネルを選択する場合はテンキーを押してチャンネルの番号の桁ごとに、テンキーで数値が入力される。例えば、チャンネル３５ｃｈの番組を視聴したい時は、ユーザーは「３」の数字ボタン２２３ａ０を押して１０の位を決め、続けて「５」数字ボタンの２２５ａを押して１の位を決める。このような操作端末で、実施の形態３での嗜好番組が存在するという情報を出力する方法として次のようなものが考えられる。例えば、図６のリモコン外観３ａ０とリモコン外観３ａ１は、操作端末が受信した嗜好情報がチャンネル３５ｃｈの嗜好情報である時、チャンネル３５ｃｈが嗜好番組であるということを示している。
【００６３】
図６のリモコン外観３ａ０とリモコン外観３ａ１には、番組選択に使用する「０」から「９」数字ボタンがあり、各数字ボタンは操作端末制御部１７によって、嗜好情報が各数字ボタンに割り当てられると発光するように構成されている。まず、「３」の数字ボタン２２３ａ０が発光し、発光した「３」の数字ボタン２２３ａ０がユーザーによって選択されれば、次に、「５」の数字ボタン２２５ａ１が発光する。そして、「５」数字ボタン２２５ａ１が選択されれば、視聴番組がチャンネル３５ｃｈに切り替わる。これは、ケーブルテレビのような多チャンネルの場合での、嗜好番組が存在するという情報を出力する方法であり、数字ボタンを順に発光させて、ナビゲーションしてユーザーに知らせるというものである。
【００６４】
また、この方法は、地上波デジタル放送、地上波アナログ放送、ＢＳ放送、ＣＳ放送を受信できるマルチチューナーの場合にも利用できる。図６のリモコン外観３ｂ１とリモコン外観３ｂ２はその時の操作端末３の動作を示したものである。図６のリモコン外観３ｂ０とリモコン外観３ｂ１には、放送波の種類を切り替える地Ａボタン２２ＴＡ、地Ｄボタン２２ＴＤ、ＢＳボタン２２ＢＳ、ＣＳボタン２２ＣＳがあり、各放送波のチャンネルを選択するための「１」から「１２」の数字ボタンがある。地Ａボタン２２ＴＡは地上波アナログ放送のボタンであり、地Ｄボタン２２ＴＤは地上波デジタル放送のボタンであり、ＢＳボタン２２ＢＳはＢＳ放送のボタンであり、ＣＳボタン２２ＣＳはＣＳ放送のボタンである。また、地Ａボタン２２ＴＡ、地Ｄボタン２２ＴＤ、ＢＳボタン２２ＢＳ、ＣＳボタン２２ＣＳ、「１」から「１２」の数字ボタンは、操作端末制御部１７によって嗜好情報が割り当てられると発光するよう構成されている。例えば、地上波デジタル放送を見ている時に、ＢＳ放送のチャンネル５ｃｈが嗜好番組として推薦される場合を考える。まず、ＢＳボタン２２ＢＳが発光し（図６のリモコン外観３ｂ０を参照）、発光したＢＳボタン２２ＢＳがユーザーによって選択されれば、次に、「５」の数字ボタン２２５ｂ１が発光する（図６のリモコン外観３ｂ１を参照）。そして、「５」の数字ボタン２２５ｂ１が選択されれば、視聴番組がＢＳ放送のチャンネル５ｃｈに切り替わる。
【００６５】
以上のように、ユーザーが選択するべき順序でボタンを発光させるように構成することで、操作端末３はユーザーの番組選択の動作を従来と同じ一連の番組選択動作で嗜好番組を視聴できるようにナビゲーションすることができる。
【００６６】
次に、図６のリモコン外観３ｃ０とリモコン外観３ｃ１は、チャンネル数が多い場合の上記とは違う方法による数字ボタンとチャンネルの対応のさせ方を示す。前述のケーブルテレビのようにチャンネルが多く、ボタンの数が足らない場合、リモコン外観３ｃ０とリモコン外観３ｃ１のように、「０」から「９」数字ボタンと、後述する通常選局モードと後述するダイレクト選局モードに切り替えるための選局モード切り替えボタン２２ＭＳというものが構成に加えられている。そして、「０」から「９」数字ボタンと選局モード切り替えボタン２２ＭＳは、操作端末制御部１７によって嗜好情報が割り当てられると発光するよう構成されている。
【００６７】
通常選局モードとは、ケーブルテレビでの選局方法のように視聴番組を見るために複数回のボタンの選択を行うものである。例えば、チャンネル３５ｃｈの番組を見る場合、「３」の数字ボタン２２３ｃ０を選択してから「５」数字ボタン２２５ｃ１を選択するという方法でチャンネル３５ｃｈを選択して番組を視聴する。ダイレクト選局モードとは、数字ボタンを1回選択するだけで、あらかじめプリセットした数字ボタンに対応したチャンネルの番組を視聴することができる。ダイレクト選局モードに切り替わると、テレビジョンシステム１は、図８のダイレクト選局モード用のチャンネル対応表１４を使用して番組の切り替えを行う。
【００６８】
図８はダイレクト選局モードでのチャンネル１４ａｄとプリセット番号１４ｂｄとの対応を示したものである。チャンネル８ｃｈは「１」のプリセット番号（「１」の数字ボタン）に対応し、チャンネル１０ｃｈは「２」のプリセット番号（「２」の数字ボタン）に対応し、チャンネル５２ｃｈは「３」のプリセット番号（「３」の数字ボタン）に対応し、チャンネル６４ｃｈは「４」のプリセット番号（「４」の数字ボタン）に対応し、チャンネル４９ｃｈは「５」のプリセット番号（「５」の数字ボタン）に対応し、チャンネル５１ｃｈは「６」のプリセット番号（「６」の数字ボタン）に対応し、チャンネル１１ｃｈは「７」のプリセット番号（「７」の数字ボタン）に対応している。なお、「８」のプリセット番号と「９」のプリセット番号と「０」のプリセット番号はチャンネル対応が未設定である。
【００６９】
ここで、チャンネル４９ｃｈが嗜好番組として推薦されたとすると、チャンネル４９ｃｈはダイレクト選局モードのチャンネル対応表１４にあるので、選局モード切り替えボタン２２ＭＳが発光する（図６のリモコン外観３ｃ０を参照）。発光した選局モード切り替えボタン２２ＭＳが選択されれば、次に、「５」の数字ボタン２２５ｃ１が発光する（図６のリモコン外観３ｃ１を参照）。そして、発光した数字ボタン２２５ｃ１が選択されれば、ダイレクト選局モード時のチャンネル対応表１４を用いてチャンネル４９ｃｈの番組に視聴番組が切り替わる。
【００７０】
以上のように、操作端末上に選局モード切り替えボタン２２ＭＳが設けられ、ダイレクト選局モード用のチャンネル対応表１４を用いて、嗜好番組の嗜好情報が操作端末上の対応する数字ボタンに割り当てられている。これにより、選局モードを切り替えることで、多チャンネルのときでも嗜好情報と選択部２１とが一対一に対応し、推薦された嗜好番組を視聴するのに、一回の番組選択動作で番組を選択できる。
【００７１】
なお、ダイレクト選局モードに切り替えた時に使用するダイレクト選局モード時のチャンネル対応表１４のチャンネルのプリセットはユーザーが設定してもよいが、テレビジョン放送受信装置が自動的に割り当てをするような構成であってもよい。例えば、テレビジョンシステムが各番組のユーザーの嗜好の度合いである番組嗜好度を判定する判定部１０ａを備えているとすると、テレビジョン放送受信装置２は判定部１０ａにより判定した番組嗜好度の大きい嗜好番組のチャンネルから順番にプリセット番号が割り当てる。具体的には、推薦された嗜好番組のチャンネルが１ｃｈ、３ｃｈ、５ｃｈ、１１ｃｈ、２５ｃｈ、３５ｃｈだった時に、これらのチャンネルで放送されている番組の番組嗜好度が１ｃｈ、１１ｃｈ、３５ｃｈ、５ｃｈ、２５ｃｈ、３ｃｈの順に大きいとする。その場合、テレビジョン放送受信装置がプリセットを自動的に行い、テレビジョン放送受信装置は「１」のプリセット番号に１ｃｈを、「２」のプリセット番号に１１ｃｈを、「３」のプリセット番号に３５ｃｈを、「４」のプリセット番号に５ｃｈを、「５」のプリセット番号に２５ｃｈを、「６」のプリセット番号に３ｃｈを夫々対応させる。
【００７２】
以上のように、選局モード切り替えボタン２２ＭＳを設けて、ユーザーが選択するべき順序でボタンを発光させるように構成することで、操作端末３はユーザーの番組選択の動作を一連の番組選択動作で嗜好番組を視聴できるようにナビゲーションすることができる。
【００７３】
（実施の形態４）
実施の形態４を図１１及び図１２と供に説明する。実施の形態４は、嗜好番組をユーザーに適切なタイミングで推薦するために、実施の形態１から実施の形態３のテレビジョンシステム１の構成に加えて、操作端末３の位置が変化したことを検出する位置変化検出部３０１を備える。位置が変化したことを検出された時に、操作端末３は操作端末３の位置が変化したことが検出されたという信号をテレビジョン放送受信装置２に送信する。そうして、テレビジョン放送受信装置２は信号を受信した時に嗜好番組を検出し、操作端末３の出力部２０が嗜好番組が存在するという情報を出力するように構成されている。なお、実施の形態１から実施の形態３と同じ構成についてはそれらの説明を省略している。この構成の動作について説明する。
【００７４】
操作端末３の位置変化検出部３０１が操作端末３の位置の変化を検出すれば、操作端末３の位置が変化したということを操作端末制御部１７がテレビジョン放送受信装置２に知らせる。そして、テレビジョン放送受信装置２の番組推薦制御部９は操作端末３の位置が変化したことを知ると、嗜好番組の推薦を始める。
【００７５】
これとは別に、図１２に示す様に、テレビジョンシステム１の構成において、テレビジョン放送受信装置２の電源を入れた時に、嗜好番組が存在するという情報を出力するように構成されている。なお、それ以外の構成に関しては実施の形態１から実施の形態３と同じである。この構成の時の動作は、テレビジョン放送受信装置２に電源が入ったときに、電源ＯＮ検出部３０２は電源がＯＮされたことを検出する。この検出により、番組推薦制御部９は嗜好番組の推薦を始める。なお、操作端末３で操作して電源を入れてもよいし、直接、テレビジョン放送受信装置２側で電源を入れてもよい。
【００７６】
以上のように、これらの本実施の形態のテレビジョンシステムでは、操作端末３の位置が変化したことを検出し、変化を検出した時に、出力部２０が嗜好番組が存在するという情報を出力するように構成されている。また、テレビジョン放送受信装置２の電源が入った時に、嗜好番組が存在するという情報を出力するように構成されている。これは、ユーザーが操作端末３を持った時や、ユーザーがテレビの視聴を始める時は、視聴する番組を決定するためにチャンネルを切り替えてザッピングをする可能性が高いので、そのタイミングでユーザーへの番組推薦を可能にするためのものある。これにより、嗜好番組をユーザーに適切なタイミングで推薦することができる。
【００７７】
（実施の形態５）
実施の形態５を図１２と供に説明する。この実施の形態５では、操作端末３の消費電力を抑えるために、実施の形態１から実施の形態４のテレビジョンシステム１の構成において、出力部２０が嗜好番組が存在するという情報を出力した場合に、嗜好番組が選択されれば、出力部２０は嗜好番組が存在するという情報を出力することを止めるように構成されている。出力部２０が嗜好番組が存在するという情報を出力している時に、選択部２１によって番組が選択されたならば、操作端末制御部１７は出力部２０の出力を止めるように命令する。なお、実施の形態１から実施の形態４と同じ構成については、それらの説明は省略する。
【００７８】
また、本実施の形態での別の構成として、出力部２０が嗜好番組が存在するという情報を出力した場合、所定の時間以上、嗜好番組が選択されなかったら、出力部２０は嗜好番組が存在するという情報を出力することを止めるような構成もある。これは、テレビジョン放送受信装置２の計時部１６はタイマー機能を持ち、番組推薦制御部９が操作端末３に嗜好番組を推薦した時点でタイマーをスタートさせる。そして、タイマーが所定の時間（例えば５分）を超えると、番組推薦制御部９は、操作端末３の操作端末制御部１７に対して、出力部２０を停止するように命令し、タイマーを停止して、リセットする。また、所定の時間内に、番組が選択されて、データ送受信部１１が番組選択情報を受信したならば、タイマーは番組推薦制御部９によって止められ、リセットされる。
【００７９】
以上のように、これらの本実施の形態のテレビジョンシステムでは、出力部２０が嗜好番組が存在するという情報を出力した場合に、選択部２１によって嗜好番組が選択された時、出力部２０は嗜好番組が存在するという情報を出力することを止める。また、出力部２０が嗜好番組が存在するという情報を出力してから、所定の時間以上経過して、嗜好番組が選択されなかった場合、出力部２０は嗜好番組が存在するという情報を出力することを止める。これらにより、嗜好番組が存在するという情報を出力し続けるという状況を回避し、出力を止めることで操作端末３の消費電力を抑えることができる。また、現在ユーザーが視聴している番組が嗜好番組であった場合に、出力部２０が嗜好番組が存在するという情報を出力しないように構成することでも、上記の構成と同じように、消費電力を抑えるという効果を得ることができる。
【００８０】
（実施の形態６）
実施の形態６を図１３と供に説明する。実施の形態６では、テレビジョン放送受信装置２の消費電力を抑える。そのために、実施の形態１から実施の形態５のテレビジョンシステム１の構成において、番組一致検出部２０３はテレビジョン放送受信装置２は検出部１０が検出した嗜好番組と番組出力部８が現在出力している番組が一致するか判定する。その判定により嗜好番組と番組出力部８が出力している番組が一致した場合は、データ送受信部１１は検出部１０により検出された嗜好番組の嗜好情報を操作端末３に送信することを止めるように構成されている。なお、実施の形態１から実施の形態５と同じ構成についてはそれらの説明を省略する。
【００８１】
以上のように構成することで、本実施の形態のテレビジョンシステムでは、ユーザーが視聴している番組と検出された嗜好番組が同じ場合に、テレビジョン放送受信装置２は嗜好情報を操作端末３に送信しないので、テレビジョン放送受信装置２の消費電力を抑えることができる。さらに、操作端末３は嗜好情報を受信しないため、出力部２０が嗜好番組が存在するという情報を出力しないので、操作端末３の消費電力も抑えることができる。
【００８２】
（実施の形態７）
実施の形態７を図１４と供に説明する。実施の形態７では、ユーザーが複数のユーザーによってテレビジョンが共有されている場合において、それぞれのユーザーの嗜好に合わせた嗜好番組を推薦する。そのために、実施の形態１から実施の形態６のテレビジョンシステム１の構成において、テレビジョンシステム１がユーザーを識別するユーザー識別部２０４を持つ。出力部２０は、識別したユーザーの嗜好に合わせた嗜好番組が存在するという情報を出力するように構成されている。なお、実施の形態１から実施の形態６と同じ構成についてはそれらの説明を省略する。
【００８３】
本実施の形態のユーザーの嗜好に合わせるというのは、ユーザーを識別してユーザーごとに違うユーザー嗜好情報を持つということで、予めユーザーごとにユーザー嗜好情報をユーザー嗜好情報記憶部１５の別々の領域に記憶しておくということである。そして、ユーザー識別部２０４とは、暗証番号や指紋認証によって個人情報を識別することでユーザー嗜好情報を切り替えてもよいし、ユーザーを切り替えるボタンを操作端末３もしくはテレビジョン放送受信装置２に用意してもよい。なお、ユーザーを切り替えるとは、ユーザー嗜好情報を切り替えることである。その動作は、ユーザーを識別し、識別したユーザーのユーザー嗜好情報がユーザー嗜好情報記憶部１５の違う領域に記憶され、検出部１０は識別されたユーザーのユーザー嗜好情報を基に嗜好番組を検出する。
【００８４】
以上のように、本実施の形態のテレビジョンシステムでは、ユーザーを識別するユーザー識別部２０４を持ち、出力部２０は識別したユーザーの嗜好にあわせた嗜好番組が存在するという情報を出力する。これは、家族などのように複数ユーザーがひとつのテレビジョンを共有している場合、テレビジョンを視聴するユーザーが常に決まっているわけではないので、嗜好番組をユーザーに推薦する場合、視聴するユーザーに合わせた嗜好番組の推薦を可能にするためである。これにより、複数のユーザーによってテレビジョンが共有されている場合でも、それぞれのユーザーに合わせた嗜好番組を推薦することができる。
【００８５】
なお、テレビジョン放送受信装置２で行っている番組情報とユーザー嗜好情報に基づいて嗜好番組を検出する機能を、操作端末３に持たせてもよい。操作端末３にこの機能を持たせることで、操作端末３上でユーザーの嗜好にあった番組を推薦するのに、嗜好情報をテレビジョン放送受信装置２から操作端末３へ送信する必要が無くなり、本実施の形態のような番組推薦を行わないテレビジョン放送受信装置でも、ユーザーの嗜好にあった番組を操作端末上で推薦することができる。
【００８６】
また、上記実施の形態のテレビジョン放送受信装置２を、インターネットなどの電気通信回線を利用して、嗜好情報を送信できる構成にし、操作端末３を、携帯電話のようにテレビジョン放送を受信し、画面上に表示することができる。インターネットなどの電気通信回線に接続できる構成にした場合に、テレビジョン放送受信装置２から電気通信回線を利用して送信された嗜好情報を、操作端末３が電気通信回線を利用して取得する。そうして、受信した嗜好情報に基づいて嗜好番組が存在するという情報が出力され、出力されて推薦された嗜好番組が選択され、選択された嗜好番組を操作端末３の画面上に表示し視聴することができる。このようにすることで、本テレビジョンシステムは、インターネットなどの電気通信回線を利用して嗜好情報を送信し、嗜好番組を簡単な操作で視聴することができる。
【００８７】
また、上記の実施の形態で受信するテレビジョン放送はデジタルテレビジョン放送としているが、本発明が実施できる構成であれば、アナログテレビジョン放送を受信するものでもよく、地上波放送や衛星放送などのように放送の種類が違っていても本発明が実施できる構成であればよい。
【００８８】
また、実施の形態１から実施の形態７のテレビジョン放送受信装置２のチャンネル対応表１４と同じものを操作端末３にも持たせることも可能である。そうして、操作端末側でユーザーが選択したボタンに対応するチャンネルを検出して、検出したチャンネルを嗜好情報としてテレビジョン放送受信装置２のデータ送受信部１１に送信し、テレビジョン放送受信装置２のチャンネル対応表１４でのチャンネル対応のステップを省略して嗜好番組の視聴を可能にするものであってもよい。
【００８９】
また、上記実施の形態の嗜好番組が存在するという情報を出力する出力部２０は嗜好番組が存在することを示すことができればよい。したがって、番組選択ボタンを光らせるという方法だけではなく、音声などで、どの番組が嗜好番組であり、どの選択ボタンを押せばよいのかということユーザーに示してもよく、操作端末３上でユーザーに認識可能に嗜好番組が存在することを示すことができる装置であればよい。つまり、音声で嗜好番組が存在することを示す場合、嗜好番組が存在するという情報は、音声を出力するスピーカーなどから出力され、どの番組が嗜好番組であり、どの選択ボタンを押せばよいのかということを示す音声信号のことをいう。このように音声などで嗜好番組が存在することを示す場合、図１、図５のように選択部２１が出力部２０を有している必要はなく、選択部２１と出力部２０は操作端末３上で別々に配置されていてよい。
【００９０】
また、操作端末３上にディスプレイを配置し、ディスプレイに嗜好番組が存在するということを示すようにしてもよい。この場合、嗜好番組が存在するという情報は、どの番組が嗜好番組であり、どの選択ボタンを押せばよいのかということを示す文字情報などを表す電気信号のことをいう。
【産業上の利用可能性】
【００９１】
本発明にかかるテレビジョンシステム、放送受信装置および操作端末は、ユーザーの嗜好にあった番組が放送されていることを操作端末上で容易に知ることができ、番組を選択することが可能になるので、ユーザーの嗜好にあった番組の推薦を行う手段として有用である。
【図面の簡単な説明】
【００９２】
【図１】本発明の実施の形態１におけるテレビジョンシステムの構成図
【図２】本発明の実施の形態１におけるテレビジョンシステムの番組推薦動作を示すフローチャート
【図３】本発明の実施の形態１におけるテレビジョンシステムの番組選択動作を示すフローチャート
【図４】本発明の実施の形態３におけるテレビジョンシステムの操作端末の構成図
【図５】本発明の実施の形態３におけるテレビジョンシステムの操作端末の数字ボタンの発光動作に係わる構成図
【図６】本発明の実施の形態３におけるテレビジョンシステムの受信するチャンネル数が多い場合のチャンネル対応の説明図
【図７】本発明の実施の形態１におけるテレビジョンシステムのチャンネル対応表を示す図
【図８】本発明の実施の形態３におけるテレビジョンシステムのダイレクト選局モード用のチャンネル対応表を示す図
【図９】本発明の実施の形態２におけるテレビジョンシステムのユーザー嗜好情報と番組情報の要素間マッチングの結果を示す図
【図１０】ダイレクト選局モードでのチャンネルとプリセット番号との対応を示した図
【図１１】本発明の実施の形態２におけるテレビジョンシステムの構成図
【図１２】本発明の実施の形態４におけるテレビジョンシステムの構成図
【図１３】本発明の実施の形態６におけるテレビジョンシステムの構成図
【図１４】本発明の実施の形態７におけるテレビジョンシステムの構成図
【図１５】本発明における数字ボタンの表示例を示す図
【図１６】図１５に示した表示を実現する為の構成図
【図１７】従来の番組推薦機能である推薦リストを表示させたテレビ画面図
【図１８】従来の番組推薦機能である推薦リストを操作するリモコン図
【符号の説明】
【００９３】
１    テレビジョンシステム
２    テレビジョン放送受信装置
３    操作端末
４    アンテナ部
５    放送受信部
６    分離部
７    デコード部
８    番組出力部
９    番組推薦制御部
１０    検出部
１１    データ送受信部
１２    番組情報記憶部
１３    入力部
１４    チャンネル対応表
１５    ユーザー嗜好情報記憶部
１６    計時部
１７    操作端末制御部
１８    嗜好情報受信部
１９    送信部
２０    出力部
２１    選択部
２２    数字ボタン
２３    光源
２４    操作端末
１０１    録画推薦番組表
１０２    推薦度軸
１０３    録画時間軸
１０４    番組選択カーソル
１０５    録画番組表ボタン
１０６    選択ボタン
１０７    決定ボタン
【図１】
0004557004.tif 000002
【図２】
0004557004.tif 000003
【図３】
0004557004.tif 000004
【図４】
0004557004.tif 000005
【図５】
0004557004.tif 000006
【図６】
0004557004.tif 000007
【図７】
0004557004.tif 000008
【図８】
0004557004.tif 000009
【図９】
0004557004.tif 000010
【図１０】
0004557004.tif 000011
【図１１】
0004557004.tif 000012
【図１２】
0004557004.tif 000013
【図１３】
0004557004.tif 000014
【図１４】
0004557004.tif 000015
【図１５】
0004557004.tif 000016
【図１６】
0004557004.tif 000017
【図１７】
0004557004.tif 000018
【図１８】
0004557004.tif 000019